(57)【特許請求の範囲】
【請求項１】
透光性基板の表面に複数の意匠パターンを除いて遮光部を設けた表示盤と、
前記複数の意匠パターンに対応して前記表示盤の裏面側に設けられ、前記複数の意匠パターンを個別に照明するＬＥＤ光源と、を備えた車両用表示装置であって、
前記表示盤が、少なくとも、前記複数の意匠パターンに対応して設けられた前記ＬＥＤ光源の光源色と補色関係の透光性着色材料からなる補色調光部を有していることを特徴とする車両用表示装置。
【請求項２】
前記補色調光部が、網点印刷層、又は、網点状に印刷抜きされたベタ印刷層、又は、格子印刷層、又は、格子状に印刷抜きされたベタ印刷層から形成される１つの印刷層によって構成されていることを特徴とする請求項１記載の車両用表示装置。
【請求項３】
前記表示盤が、該表示盤の裏面側に第２ＬＥＤ光源からの光を導いて該表示盤を裏面側から照明する導光部を有するとともに、該表示盤の表面側に設けられたスモーク部と、を有し、そして、
前記導光部と前記表示盤との間に前記補色調光部が設けられていることを特徴とする請求項１記載の車両用表示装置。
【請求項４】
前記表示盤が、該表示盤の表面に前記補色調光部を有していることを特徴とする請求項１記載の車両用表示装置。
【請求項５】
前記表示盤が、前記補色調光部と前記表示盤との間にスモーク部を有していることを特徴とする請求項４記載の車両用表示装置。
【発明の詳細な説明】
【技術分野】
【０００１】
本発明は、車両情報を表示する車両用表示装置に関する。
【背景技術】
【０００２】
一般に、自動車等の車両には、車速、回転数等を表示する表示部、及び自動変速機のシフト位置等を表示するインジケータ部を備えた表示盤を有する車両用表示装置が設けられている。運転者は、前記表示盤を視認して各種車両情報を取得している。
【０００３】
前記表示盤に並んで配置された車速、回転数等を表示する表示部には、表面に目盛等の意匠パターンが形成された透光性基板からなる文字板と、該文字板の前面に配置された指針と、該指針を計測量に応じて駆動する内機と、前記文字板の後面に配置された所定色の光源とが設けられている。前記文字板は、例えば、前記意匠パターン部分が透光性を有するとともに、意匠パターン部分以外の部分が遮光性を有している。前記表示盤の裏面には、ケースによる反射面等が設けられ、前記光源からの光が直接、又は反射により間接的に前記文字板の裏面に導かれることによって、前記表示部が照明されるようになっている。前記光源の発光色は、例えば、白色あるいは橙色等である。
【０００４】
前記表示盤の表示部の間には、例えば図９に示すように、自動変速機のシフト位置を表示するインジケータ部３としてのシフト表示部３１が設けられている。前記シフト表示部３１には、透光性基板３１２の表面にＰ、Ｒ、Ｎ、Ｄ等のシフト位置を表示する複数の意匠パターン３１１が並んで形成されている。前記表示盤のシフト表示部３の裏面側には、前記複数の意匠パターン３１１に対応して該複数の意匠パターン３１１を個別に照明する所定色のポジション光源３１７が設けられている。前記シフト表示部３１の意匠パターン３１１は、例えば、意匠パターン部分が透光性を有するとともに、意匠パターン部分以外の部分が遮光性を有している。そして、シフト位置にあるシフト表示部３１のポジション光源３１７が点灯することにより、ポジション光源３１７からの光が対応する意匠パターン３１１に照射されて、自動変速機のシフト位置を表示するようになっている。前記ポジション光源３１７の発光色は、例えば、緑色あるいは橙色等である。さらに、前記シフト表示部３１の下面には、側方より光源３１６から光を取り入れてシフト表示部全体を発光させる導光板３１５が設けられている。そして、シフト表示部３１の裏面に設けられた着色印刷層３１９の印刷色に発光表示される。前記シフト表示部３１全体を発光させる光源３１６の発光色は、例えば白色で、前記着色印刷層３１９の印刷色は青緑色である（特許文献１参照）。
【０００５】
前記車両用表示装置では、前記表示盤のインジケータ部３としてのシフト表示部３１の意匠パターン３１１全体が青緑色の表示色で表示されるとともに、図９に示すように、シフト位置を表示する特定の意匠パターン３１１が前記青緑色と補色関係にある橙色で表示されるようになっているときには、シフト位置を表示する意匠パターン３１１部分では、補色関係にある２色の表示色が混色して暗灰色又は黒色となり、シフト位置がどこにあるのか視認しにくくなるという問題があった。
【特許文献１】特開２００２−４８６０５
【発明の開示】
【発明が解決しようとする課題】
【０００６】
本発明は、かかる問題点を解決することを目的としている。即ち、本発明は、表示盤のインジケータ部の複数の意匠パターンの常時の表示色が前記複数の意匠パターンを個別に照明する光源の光源色と補色関係にある場合でも、前記光源が照明する意匠パターンを確実に視認することができ、その視認性を向上させることができるようにした車両用表示装置を提供することを目的とする。
【課題を解決するための手段】
【０００７】
上記目的を達成するために、請求項１に記載の車両用表示装置は、透光性基板の表面に複数の意匠パターンを除いて遮光部を設けた表示盤と、前記複数の意匠パターンに対応して前記表示盤の裏面側に設けられ、前記複数の意匠パターンを個別に照明するＬＥＤ光源と、を備えた車両用表示装置であって、前記表示盤が、少なくとも、前記複数の意匠パターンに対応して設けられた前記ＬＥＤ光源の光源色と補色関係の透光性着色材料からなる補色調光部を有していることを特徴としている。
【０００８】
請求項２に記載の車両用表示装置は、請求項１記載の車両用表示装置において、前記補色調光部が、網点印刷層、又は、網点状に印刷抜きされたベタ印刷層、又は、格子印刷層、又は、格子状に印刷抜きされたベタ印刷層から形成される１つの印刷層によって構成されていることを特徴としている。
【０００９】
請求項３に記載の車両用表示装置は、請求項１記載の車両用表示装置において、前記表示盤が、該表示盤の裏面に第２ＬＥＤ光源からの光を導いて該表示盤を裏面側から照明する導光部を有するとともに、該表示盤の表面にスモーク部を有し、そして、前記導光部と前記表示盤との間に前記補色調光部が設けられていることを特徴としている。
【００１０】
請求項４に記載の車両用表示装置は、請求項１記載の車両用表示装置において、前記表示盤が、該表示盤の表面に前記補色調光部を有していることを特徴としている。
【００１１】
請求項５に記載の車両用表示装置は、請求項４記載の車両用表示装置において、前記表示盤が、前記補色調光部と前記表示盤との間にスモーク部を有していることを特徴としている。
【発明の効果】
【００１２】
請求項１に記載の車両用表示装置によれば、透光性基板の表面に複数の意匠パターンを除いて遮光部を設けた表示盤と、前記複数の意匠パターンに対応して前記表示盤の裏面側に設けられ、前記複数の意匠パターンを個別に照明するＬＥＤ光源と、を備えた車両用表示装置であって、前記表示盤が、少なくとも、前記複数の意匠パターンに対応して設けられた前記ＬＥＤ光源の光源色と補色関係の透光性着色材料からなる補色調光部を有しているので、表示盤の複数の意匠パターン部分では、常時は、複数の意匠パターンに対応して設けられたＬＥＤ光源の光源色と補色関係の透光性着色材料からなる補色調光部の着色材料の表示色で視認されるようになる。また、意匠パターンを個別に照明するＬＥＤ光源が点灯した時は、ＬＥＤ光源の照明光が補色調光部の透光性着色材料部分でない箇所を光源色のままで透過するため、意匠パターンが視認されるようになる。
【００１３】
そのために、表示盤のインジケータ部の複数の意匠パターンの常時の表示色が、前記複数の意匠パターンを個別に照明するＬＥＤ光源の光源色と補色関係にある場合でも、前記ＬＥＤ光源が照明する意匠パターンを確実に視認することができ、よって、車両用表示装置の視認性を向上させることができる。
【００１４】
請求項２に記載の車両用表示装置によれば、前記補色調光部が、網点印刷層、又は、網点状に印刷抜きされたベタ印刷層、又は、格子印刷層、又は、格子状に印刷抜きされたベタ印刷層から形成される１つの印刷層によって構成されているので、網点印刷部分、又は、格子印刷部分の粗密を変更することによって、意匠パターンの表示色の調整をきめ細かく行うことができる。
【００１５】
請求項３に記載の車両用表示装置によれば、前記表示盤が、該表示盤の裏面に第２ＬＥＤ光源からの光を導いて該表示盤を裏面側から照明する導光部を有するとともに、該表示盤の表面にスモーク部を有し、そして、前記導光部と前記表示盤との間に前記補色調光部が設けられているので、表示盤の複数の意匠パターン部分では、常時は、導光部から表示盤へ導かれる第２ＬＥＤ光源からの光が導光部と表示盤との間の透光性着色材料からなる補色調光部を透過することによって、補色調光部の着色材料の表示色で視認されるようになる。また、意匠パターンを個別に照明するＬＥＤ光源が点灯した時は、ＬＥＤ光源の照明光が補色調光部の透光性着色材料部分でない箇所を光源色のままで透過するため、意匠パターンが視認されるようになる。
【００１６】
また、表示盤が、該表示盤の裏面に第２ＬＥＤ光源からの光を導いて該表示盤を裏面側から照明する導光部を有するとともに、該表示盤の表面にスモーク部を有しているので、導光部に第２ＬＥＤ光源の光が導かれない時、即ち、車両のイグニッションがＯＦＦの場合には、表示盤の意匠パターンが該表示盤のスモーク部で全く視認されないようになるいわゆるブラックフェイス形式の車両用表示装置とすることができる。
【００１７】
そのために、ブラックフェイス形式の車両用表示装置であって、表示盤のインジケータ部の複数の意匠パターンの常時の表示色が、前記複数の意匠パターンを個別に照明するＬＥＤ光源の光源色と補色関係にある場合でも、前記ＬＥＤ光源が照明する意匠パターンを確実に視認することができ、よって、車両用表示装置の視認性を向上させることができる。
【００１８】
請求項４に記載の車両用表示装置によれば、前記表示盤が、該表示盤の表面に前記補色調光部を有しているので、表示盤の複数の意匠パターン部分では、常時は、複数の意匠パターンに対応して設けられたＬＥＤ光源の光源色と補色関係の透光性着色材料からなる補色調光部の着色材料の表示色で視認されるようになる。また、意匠パターンを個別に照明するＬＥＤ光源が点灯した時は、ＬＥＤ光源の照明光が補色調光部の透光性着色材料部分でない箇所を光源色のままで透過するため、意匠パターンが視認されるようになる。
【００１９】
そのために、表示盤のインジケータ部の複数の意匠パターンの常時の表示色が、前記複数の意匠パターンを個別に照明するＬＥＤ光源の光源色と補色関係にある場合でも、前記ＬＥＤ光源が照明する意匠パターンを確実に視認することができ、よって、車両用表示装置の視認性を向上させることができる。
【００２０】
請求項５に記載の車両用表示装置によれば、前記表示盤が、前記補色調光部と前記表示盤との間にスモーク部を有しているので、表示盤の意匠パターンの存在をスモーク部で覆い隠すことができ、より高級感のある車両用表示装置とすることができる。
【発明を実施するための最良の形態】
【００２１】
以下、図面を参照して本発明の実施形態を説明する。図１は、本発明に係る車両用表示装置１を示し、前記車両用表示装置１は、車速、回転数等を表示する表示部２、自動変速機のシフト位置を表示するインジケータ部３としてのシフト表示部３１、及び車両の異常内容を表示するインジケータ部３としてのウォーニング表示部３２を備えた表示盤４を有している。前記表示盤４は、メータケース５に組み付けられており、その表面側は、内部への埃等の侵入を防ぐための透明カバー６で覆われている。
【００２２】
図２に示すように、前記表示盤４に並んで配置された車速、回転数等を表示する表示部２は、表面に目盛等の意匠パターン２１を除いて遮光印刷層２２が形成された透光性基板からなる文字板２３と、該文字板２３の前面に配置された図示しない指針と、該指針を計測量に応じて駆動する図示しない内機とを備えている。前記文字板の裏面には、ケース５により反射面が設けられており、光源２７からの光が直接、又は反射により間接的に文字板２３の裏面に導かれることによって、前記表示盤４の表示部２が照明されるようになっている。
【００２３】
図１乃至図３に示すように、前記表示盤４の表示部２であるスピードメータ２ａとタコメータ２ｂとの間には、自動変速機のシフト位置を表示するインジケータ部３としてのシフト表示部３１が設けられている。前記表示盤４が組み付けられる前記メータケース５の前記シフト表示部３１に対応した位置には、複数の区画室５２が並んで形成されている。
【００２４】
本実施形態の車両用表示装置１においては、図３及び図４に示すように、前記複数の区画室５２の前面に、アクリル樹脂等の透光性基板の表面にＰ、Ｒ、Ｎ、Ｄ等のシフト位置を表示する複数の意匠パターン３１１が形成された表示盤としてのシフト表示用レンズ３１２が設けられている。前記シフト表示用レンズ３１２は、その表面に複数の意匠パターン３１１を除いて遮光部としての遮光印刷層３１３を形成することにより、表面に複数の意匠パターン３１１を形成するようになっている。前記複数の意匠パターン３１１の各意匠パターン３１１ａは、前記複数の区画室５２の各区画室５２ａと対応して配されている。また、前記複数の意匠パターン３１１が形成されたシフト表示用レンズ３１２の表面には、スモーク部としてのスモーク印刷層３１４が形成されている。
【００２５】
前記シフト表示用レンズ３１２の裏面には、図３及び図４に示すように、アクリル樹脂等の透光性を有する導光材料により形成された導光部としての導光板３１５が設けられている。前記導光板３１５のエッジ部３１５ａに対向する箇所には、例えば、白色の照明用ＬＥＤ３１６が設けられている。そして、前記照明用ＬＥＤ３１６により、シフト表示用レンズ３１２全体が裏面側から照明されるようになっている。
【００２６】
また、前記シフト表示用レンズ３１２の複数の意匠パターン３１１に対応した前記複数の区画室５２には、それぞれ、対応する各意匠パターン３１１ａを個別に照明する照明用ＬＥＤ３１７が設けられている。前記照明用ＬＥＤ３１７は、例えば、各区画室５２ａに１つずつ設けられたうちの１つである橙色のＬＥＤである。
【００２７】
本発明においては、図４に示すように、シフト表示用レンズ３１２が、各意匠パターン３１１ａを個別に照明する照明用ＬＥＤ３１７の橙色と補色関係の青緑色の透光性着色材料からなる補色調光部としての網点印刷層３１８ａを有している。前記網点印刷層３１８ａは、前記導光板３１５とシフト表示用レンズ３１２との間に形成されている。より詳細には、前記網点印刷層３１８ａは、前記シフト表示用レンズ３１２の裏面であって、少なくとも、前記各意匠パターン３１１ａに対応した位置に形成されている。前記網点印刷層３１８ａは、図５（ａ）に示すように、細かなドット状の印刷層で、ドット状の印刷部分Ａが青緑色の透光性着色材料で形成されるとともに、それ以外の部分Ｂが無着色に形成されている。
【００２８】
前記網点印刷層３１８ａは、前記導光板３１５と前記シフト表示用レンズ３１２との間であれば、導光板３１５の表面に形成してもよい。また、前記網点印刷層３１８ａは、前記各意匠パターン３１１ａに対応した位置だけでなく、前記複数の意匠パターン３１１の全体に対応した位置に形成してもよい。
【００２９】
本発明においては、前記シフト表示用レンズ３１２が、前記各意匠パターン３１１ａを個別に照明する照明用ＬＥＤ３１７の橙色と補色関係の青緑色の透光性着色材料からなる網点印刷層３１８ａを有している。また、前記シフト表示用レンズ３１２が、裏面に照明用ＬＥＤ３１６からの光を導いてシフト表示用レンズ３１２全体を裏面側から照明する導光板３１５を有するとともに、その表面にスモーク印刷層３１４を有している。
【００３０】
そのために、車両のイグニッションがＯＦＦの場合には、シフト表示用レンズ３１２全体の複数の意匠パターン３１１がスモーク印刷層３１４で全く視認されないようになるいわゆるブラックフェイス形式の車両用表示装置１となっている。なお、イグニッションがＯＦＦの場合に、車速、回転数等を表示する前記表示部２及び自動変速機のシフト位置等を表示するインジケータ部３が全く視認されないようにするブラックフェイス形式の車両用表示装置１として構成するには、前記表示部２の文字板２３の表面にも前記スモーク印刷層３１４を形成する。
【００３１】
車両のイグニッションがＯＮになると、シフト表示用レンズ３１２の複数の意匠パターン３１１部分では、常時は、導光板３１５からシフト表示用レンズ３１２へ導かれる白色の照明用ＬＥＤ３１６からの光が導光板３１５とシフト表示用レンズ３１２との間の網点印刷層３１８ａの青緑色の透光性着色材料部分（図５（ａ）のＡ部）を透過することによって、複数の意匠パターン３１１全体が青緑色で視認される。
【００３２】
また、シフト表示部３１のシフト位置に対応した各意匠パターン３１１ａを個別に照明する橙色の照明用ＬＥＤ３１７が点灯した時は、所定のシフト位置を表示するようになっている。そして、橙色の照明光が、対応する各意匠パターン３１１ａの網点印刷層３１８ａの透光性着色材料部分でない箇所（図５（ａ）のＢ部）を橙色の光源色のままで透過するとともに、該照明光が網点印刷層３１８ａの透光性着色材料部分（図５（ａ）のＡ部）を透過して橙色の光源色と青緑色の着色材料の表示色とが混色する。補色関係の橙色と青緑色とが混色すると、暗灰色又は黒色になることが知られている。従って、シフト表示部３１の所定のシフト位置を表示する各意匠パターン３１１ａでは、暗灰色又は黒色の背景色の下で網点印刷層３１８ａの透光性着色材料部分でない箇所（図５（ａ）のＢ部）を透過した照明用ＬＥＤ３１７の橙色の光源色で該意匠パターン３１１ａが明瞭に視認される。
【００３３】
そのために、シフト表示用レンズ３１２の複数の意匠パターン３１１の常時の表示色（青緑色）が、複数の意匠パターン３１１を個別に照明する照明用ＬＥＤ３１７の光源色（橙色）と補色関係にある場合でも、シフト位置にある所定の各意匠パターン３１１ａを確実に視認できるようになり、車両用表示装置１の視認性を向上させることができる。
【００３４】
前記補色調光部としての網点印刷層３１８ａの代わりに、図５（ｂ）に示すように、青緑色の透光性着色材料によるベタ印刷Ａ中にドット状の無着色部分Ｂが形成された網点状に印刷抜きされたベタ印刷層３１８ｂや、図５（ｃ）に示すように、格子状の印刷部分Ａが青緑色の透光性着色材料で形成されるとともにそれ以外の部分Ｂが無着色に形成された格子印刷層３１８ｃや、図５（ｄ）に示すように、青緑色の透光性着色材料によるベタ印刷Ａ中に格子状の無着色部分Ｂが形成された格子状に印刷抜きされたベタ印刷層３１８ｄで構成することができる。
【００３５】
前記補色調光部が、前記網点印刷層３１８ａや、前記網点状に印刷抜きされたベタ印刷層３１８ｂや、前記格子印刷層３１８ｃや、前記格子状に印刷抜きされたベタ印刷層３１８ｄから形成される１つの印刷層によって構成されているので、網点印刷部分又は格子印刷部分の粗密を変更することによって、意匠パターン３１１の表示色の調整をきめ細かく行うことができる。
【００３６】
次に、本発明の他の実施形態を説明する。本実施形態の車両用表示装置１においては、図１、図６及び図７に示すように、例えば、前記表示盤４の表示部２としてのタコメータ２ｂの下方には、インジケータ部３としてのウォーニング表示部３２が設けられている。前記ウォーニング表示部３２は、車両の異常内容を表示する絵文字からなる複数の意匠パターン３２１から形成されている。前記表示盤４が組み付けられる前記メータケース５の前記ウォーニング表示部３２に対応した位置には、複数の区画室５３が並んで形成されている。
【００３７】
前記複数の区画室５３の前面には、アクリル樹脂等の透光性基板の表面に絵文字からなる複数の意匠パターン３２１が形成された表示盤としてのウォーニング表示用レンズ３２２が設けられている。ウォーニング表示用レンズ３２２の表面には、複数の意匠パターン３２１が形成されている。前記複数の意匠パターン３２１の各意匠パターン３２１ａは、前記複数の区画室５３の各区画室５３ａと対応して配されている。
【００３８】
前記ウォーニング表示用レンズ３２２の表面の複数の意匠パターン３２１は、図７に示すように、ウォーニング表示用レンズ３２２の表面に複数の意匠パターン３２１を除いて遮光部としての遮光印刷層３２３を形成することにより、該意匠パターン３２１が形成される。
【００３９】
また、前記ウォーニング表示用レンズ３２２の複数の意匠パターン３２１に対応した前記複数の区画室５３には、それぞれ、対応する各意匠パターン３２１ａを個別に照明する照明用ＬＥＤ３２４が設けられている。前記照明用ＬＥＤ３２４は、例えば、前記各区画室５３ａに１つずつ設けられた橙色のＬＥＤである。
【００４０】
本発明においては、図７に示すように、ウォーニング表示用レンズ３２２が、各意匠パターン３２１ａを個別に照明する照明用ＬＥＤ３２４の橙色と補色関係の青緑色の透光性着色材料からなる補色調光部としての網点印刷層３２５を有している。前記網点印刷層３２５は、前記複数の意匠パターン３２１が形成されたウォーニング表示用レンズ３２２の表面に、少なくとも、前記各意匠パターン３２１ａに対応した位置に形成されているが、前記各意匠パターン３２１ａに対応した位置だけでなく、前記複数の意匠パターン３２１の全体に対応した位置に形成してもよい。
【００４１】
本発明においては、ウォーニング表示用レンズ３２２が、各意匠パターン３２１ａを個別に照明する照明用ＬＥＤ３２４の橙色と補色関係の青緑色の透光性着色材料からなる網点印刷層３２５を有している。そのために、ウォーニング表示用レンズ３２２の複数の意匠パターン３２１部分では、常時は、各意匠パターン３２１ａに対応して設けられた照明用ＬＥＤ３２４の光源色（橙色）と補色関係の網点印刷層３２５の着色材料の表示色（青緑色）で視認されるようになる。
【００４２】
また、車両のウォーニング状態を表示するために、ウォーニング表示用レンズ３２２の各意匠パターン３２１ａを個別に照明する照明用ＬＥＤ３２４が点灯した時は、光源の照明光が網点印刷層３２５の透光性着色材料部分でない箇所を光源色（橙色）のままで透過するとともに、該照明光が網点印刷層３２５の透光性着色材料部分を透過して光源色（橙色）と着色材料の表示色（青緑色）とが混色して暗灰色又は黒色になる。従って、ウォーニング表示部３２の所定のウォーニング表示を表示する各意匠パターン３２１ａでは、暗灰色又は黒色の背景色の下で網点印刷層３２５の透光性着色材料部分でない箇所を透過した照明用ＬＥＤ３２４の橙色の光源色で該意匠パターン３２１ａが明瞭に視認される。
【００４３】
そのために、ウォーニング表示用レンズ３２２の複数の意匠パターン３２１の常時の表示色（青緑色）が、複数の意匠パターン３２１を個別に照明する照明用ＬＥＤ３２４の光源色（橙色）と補色関係にある場合でも、車両のウォーニング状態を表示する各意匠パターン３２１ａを確実に視認できるようになり、車両用表示装置１の視認性を向上させることができる。
【００４４】
前記補色調光部としての網点印刷層３２５の代わりに、前述した青緑色の透光性着色材料によるベタ印刷中にドット状の無着色部分が形成された網点状に印刷抜きされたベタ印刷層や、格子状の印刷部分が青緑色の透光性着色材料で形成されるとともにそれ以外の部分が無着色に形成された格子印刷層や、青緑色の透光性着色材料によるベタ印刷中に格子状の無着色部分が形成された格子状に印刷抜きされたベタ印刷層で構成することができる。
【００４５】
図８は、図１、図６及び図７に示した実施形態の変形例を示し、本変形例では、ウォーニング表示用レンズ３２２の表面には、複数の意匠パターン３２１を形成する遮光印刷層３２３、スモーク部としてのスモーク印刷層３２６、及び各意匠パターン３２１ａに対応して設けられた照明用ＬＥＤ３２４の光源色（橙色）と補色関係の網点印刷層３２５（青緑色）が順次形成されている。
【００４６】
本発明においては、ウォーニング表示用レンズ３２２が、網点印刷層３２５と遮光印刷層３２３との間にスモーク印刷層３２６を有しているので、ウォーニング表示用レンズ３２２の複数の意匠パターン３２１の存在をスモーク印刷層３２６で覆い隠すことができるようになり、より高級感のある車両用表示装置１とすることができる。
【００４７】
前記実施形態には、本発明の代表的な実施形態を示したが、本発明は前記実施形態に限定されるものではなく、本発明の目的を逸脱しない範囲で種々変形することができる。
【００４８】
即ち、前記実施形態では、車両用表示装置１のインジケータ部３としてのシフト表示部３１及びウォーニング表示部３２を例に説明したが、本発明の構成を車両用表示装置１の表示部２としての車速、回転数等を表示する文字板に適用してもよい。
【００４９】
また、補色関係にある色として青緑色と橙色を例に説明したが、これ以外に緑色と赤色等色彩学上補色関係にある色の組み合わせで車両用表示装置１の表示色に適したものであれば、種々の色の組み合わせが考えられる。
【図面の簡単な説明】
【００５０】
【図１】本発明に係る車両用表示装置を示す正面図である。
【図２】図１の車両用表示装置の要部を示す部分拡大断面図である。
【図３】本発明の一実施形態に係る車両用表示装置のインジケータ部としてのシフト表示部の要部を示す斜視図である。
【図４】図３のシフト表示部の要部断面図である。
【図５】補色調光部としての印刷層を説明する図で、（ａ）は網点印刷層、（ｂ）は網点状に印刷抜きされたベタ印刷層、（ｃ）は格子印刷層、（ｄ）は格子状に印刷抜きされたベタ印刷層を示している。
【図６】本発明の他の実施形態に係る車両用表示装置のインジケータ部としてのウォーニング表示部を示す斜視図である。
【図７】図６のウォーニング表示部の要部断面図である。
【図８】図７のウォーニング表示部の変形例を示す要部断面図である。
【図９】従来のシフト表示部を示す断面図である。
【符号の説明】
【００５１】
１        車両用表示装置
２        表示部
２ａ      スピードメータ
２ｂ      タコメータ
２３      文字板
３        インジケータ部
３１      シフト表示部
３１１    意匠パターン
３１２    シフト表示用レンズ（表示盤）
３１３    遮光印刷層（遮光部）
３１４    スモーク印刷層（スモーク部）
３１５    導光板（導光部）
３１６    照明用ＬＥＤ
３１７    照明用ＬＥＤ
３１８ａ  網点印刷層（補色調光部）
３２      ウォーニング表示部
３２１    意匠パターン
３２２    ウォーニング表示用レンズ（表示盤）
３２３    遮光印刷層（遮光部）
３２４    照明用ＬＥＤ
３２５    網点印刷層（補色調光部）
３２６    スモーク印刷層（スモーク部）
４        表示盤
５        ケース
５２      区画室
５３      区画室
【図１】
0005139741.tif 000002
【図２】
0005139741.tif 000003
【図３】
0005139741.tif 000004
【図４】
0005139741.tif 000005
【図５】
0005139741.tif 000006
【図６】
0005139741.tif 000007
【図７】
0005139741.tif 000008
【図８】
0005139741.tif 000009
【図９】
0005139741.tif 000010